(57)【要約】【課題】本発明は、脚部の長さを調節する際の操作性や利便性を向上させ、その上、基体の上側から脚部を取り付けたり取り外したりすることができ、かつ、該脚部の取付け固定強度を高くすることを課題とする。【解決手段】便器本体２の取付け孔１１に段部１９を形成し、該段部１９よりも上側にねじ溝２０を形成し、脚部１０の下部にねじ筒２７を嵌着し、該脚部１０の下端部に外挿管２９を嵌着した上で、該脚部１０を該取付け孔１１に挿入し、該ねじ筒２７のねじ部２６を該取付け孔１１のねじ溝２０に螺着して、該段部１９と該ねじ筒２７下端との間で該脚部１０のフランジ部２８を締付けることによって、該脚部１０を該取付け孔１１に着脱可能に固定するとともに、該外挿管２９の複数個の係止孔３０のうちの一つを選択して該脚部１０の係止ピン２４を係止させることによって、該脚部１０を長さ調節可能にした。【選択図】    図３
2006006500.tif 000002
【特許請求の範囲】
【請求項１】
基体の上面に設けた取付け孔の中間部内周に段部を形成し、該段部よりも上側内周にねじ溝を形成し、一方、脚部の下部に外周にねじ部を形成したねじ筒を嵌着し、該脚部の下端部には該ねじ筒のねじ部よりも下側に外周にフランジ部を有する外挿管を嵌着した上で、該脚部を該取付け孔に挿入し、該ねじ筒のねじ部を該取付け孔のねじ溝に螺着して、該取付け孔の段部と該ねじ筒下端との間で該脚部のフランジ部を締付けることによって、該脚部を該取付け孔に着脱可能に固定した脚部の取付け構造において、
該脚部の下端部には突出方向に付勢された係止ピンが出没可能に設けられ、該外挿管には複数個の係止孔が縦列して設けられており、該複数個の係止孔のうちの一つを選択して該係止ピンを係止させることによって、該脚部を長さ調節可能にしたことを特徴とする脚部の取付け構造。
【請求項２】
該ねじ筒の少なくとも下部の内周は下方に向かって径が漸増するテーパー形状にされ、該外挿管の上部の外周は該ねじ筒内周のテーパー形状に対応して上方に向かって径が漸減するテーパー形状にされている請求項１に記載の脚部取付け構造。
【請求項３】
該ねじ筒の上端の内周は該脚部の外周に密接して該脚部を支持している請求項１または請求項２に記載の脚部取付け構造。
【請求項４】
該取付け孔には樹脂製のスリーブが挿着され、該スリーブの中間部内周に段部が形成され、該段部よりも上側にねじ溝が形成されており、また、該ねじ筒は樹脂製である請求項２または請求項３に記載の脚部取付け構造。
【請求項５】
該基体は簡易便器の便器本体であり、該取付け孔は該便器本体の前端両側に設けられたアームレスト取付け孔であり、該脚部は該便器本体の両側に取付けられるアームレストの脚部である請求項１〜請求項４のいずれかに記載の脚部取付け構造。
【発明の詳細な説明】
【技術分野】
【０００１】
本発明は脚部の取付け構造に関し、特に簡易便器の肘掛けの脚部の取付け構造に関する。
【背景技術】
【０００２】
従来、基体の上側から脚部を取り付けたり取り外したりすることができ、かつ、該脚部の取付け固定強度が非常に高い脚部の取付け構造として、基体上面に設けた取付け孔の中間部内周に段部を形成し、該段部よりも上側内周にねじ溝を形成し、一方、脚部の下端部外周にフランジを形成し、該脚部の下端部のフランジよりも上側に外周にねじ溝を形成したねじ筒を嵌着した上で、該脚部を該取付け孔に挿入し、該ねじ筒を該取付け孔のねじ溝に螺着して、該取付け孔の段部と該ねじ筒下端との間で該脚部のフランジ部を締付けることによって、該脚部を該取付け孔に着脱可能に固定したものが一般に提供されている。
そして、該脚部の下端部には複数個のピン孔が設けられており、該脚部の長さを調節する場合には、該複数個のピン孔の一つを選択して固定ピンを挿通することによって、該フランジの取付け高さ位置を調節する（特許文献１参照）。
【０００３】
【特許文献１】特開２００４−９７４６９号公報（第３−５頁、第２−３図）
【発明の開示】
【発明が解決しようとする課題】
【０００４】
上記従来の脚部の取付け構造では、脚部の長さ調節に用いる固定ピンを紛失しないように部品管理する必要がある。更に、上記従来の脚部の取付け構造は、特に簡易便器のアームレストの取付けに適用されるものであるが、簡易便器は主として体の不自由な人や高齢者が使用するものであるため、アームレストの高さ（脚部の長さ）を調節する際の操作性や利便性の更なる向上が要求されている。
【課題を解決するための手段】
【０００５】
本発明は上記従来の課題を解決するための手段として、基体２の上面に設けた取付け孔１１の中間部内周に段部１９を形成し、該段部１９よりも上側内周にねじ溝２０を形成し、一方、脚部１０の下部に外周にねじ部２６を形成したねじ筒２７を嵌着し、該脚部１０の下端部には該ねじ筒２７のねじ部２６よりも下側に外周にフランジ部２８を有する外挿管２９を嵌着した上で、該脚部１０を該取付け孔１１に挿入し、該ねじ筒２７のねじ部２６を該取付け孔１１のねじ溝２０に螺着して、該取付け孔１１の段部１９と該ねじ筒２７下端との間で該脚部１０のフランジ部２８を締付けることによって、該脚部１０を該取付け孔１１に着脱可能に固定した脚部１０の取付け構造において、該脚部１０の下端部には突出方向に付勢された係止ピン２４が出没可能に設けられ、該外挿管２９には複数個の係止孔３０が縦列して設けられており、該複数個の係止孔３０のうちの一つを選択して該係止ピン２４を係止させることによって、該脚部１０を長さ調節可能にした脚部の取付け構造を提供するものである。
該ねじ筒２７の少なくとも下部の内周は下方に向かって径が漸増するテーパー形状にされ、該外挿管２９の上部の外周は該ねじ筒２７内周のテーパー形状に対応して上方に向かって径が漸減するテーパー形状にされていることが望ましい。
また、該ねじ筒２７の上端の内周は該脚部１０の外周に密接して該脚部１０を支持していることが望ましい。
更に、該取付け孔１１には樹脂製のスリーブ１８ａ，１８ｂが挿着され、該スリーブ１８ａ，１８ｂの中間部内周に段部１９が形成され、該段部１９よりも上側にねじ溝２０が形成されており、また、該ねじ筒２７は樹脂製であることが望ましい。
また更に、該基体は簡易便器１の便器本体２であり、該取付け孔は該便器本体２の前端両側に設けられたアームレスト取付け孔１１であり、該脚部は該便器本体２の両側に取付けられるアームレスト３の脚部１０であることが望ましい。
【発明の効果】
【０００６】
本発明の脚部の取付け構造では、脚部１０の下端部に突出方向に付勢された係止ピン２４が出没可能に設けられているため、従来のように固定ピンの部品管理をする必要がない。また、該係止ピン２４を付勢力に抗して押し込んで、該脚部１０を該外挿管２９に対して上方または下方に摺動させ、該複数個の係止孔３０のうちの一つを選択して該係止ピン２４を係止させることによって、該脚部１０の長さを容易に調節することができる。従って本発明では、脚部１０の長さを調節する際の操作性や利便性が非常に向上する。
また本発明では、ねじ筒２７のねじ部２６を基体２の上面に設けた取付け孔１１のねじ溝２０に螺着したり、あるいは該ねじ溝２０から取外したりすることによって、基体２の上側から脚部１０を取付けたり取外したりすることができる。特に、該基体が簡易便器１の便器本体２であり、該脚部が該便器本体２の前端両側のアームレスト取付け孔１１に取付けられているアームレスト３の脚部１０である場合には、使用者が便器に腰掛けたままでもアームレスト３が簡単に取付け取外しでき、更に、該アームレスト３の取付け固定強度が非常に高くなり、その上、アームレスト３の高さ（脚部１０の長さ）を調節する際の操作性や利便性が非常に向上する。
【発明を実施するための最良の形態】
【０００７】
本発明を図１〜図４に示す一実施例によって説明する。
図１に示すように、簡易便器１の便器本体２の両側には左右一対のアームレスト３が取付けられており、該便器本体２の後端部には背もたれ４が取付けられている。更に、該便器本体２の上面の凹部（図示せず）には受板５を介して便バケツ６が懸架されており、該便器本体２の上面後部には、シャワーユニット７が台座（図示せず）を介して載置されて取付けられている。
【０００８】
該便器本体２の両側のアームレスト３は、アームレストフレーム８と、該アームレストフレーム８上に取付けられているアームレスト部９とからなり、該アームレストフレーム８は前端部を下方に折曲げて脚部１０とし、該アームレストフレーム８の脚部１０は該便器本体２の上面前端両側に設けられたアームレスト取付け孔１１にそれぞれ着脱可能に取付けられている。
【０００９】
該背もたれ４は、該便器本体２の後端両側から立設される背もたれフレーム１２と、該背もたれフレーム１２中央部において支持されている背もたれ板１３とからなり、該背もたれフレーム１２の脚部１４は該便器本体２の上面後端部両側に設けられた背もたれ取付け孔１５にそれぞれ着脱可能に取付けられている。
更に、該アームレストフレーム８の後端からは背もたれ補助フレーム１６がそれぞれ一体的に延設されており、該背もたれ補助フレーム１６は、該背もたれ板１３の背面において固定ボルト１７を介して着脱可能に当接されている。本実施例では、該固定ボルト１７の螺着位置を選択することによって、該背もたれ補助フレーム１６は、三段階に取付け高さ位置を調節できるようにされている（図４参照）。
【００１０】
図２および図３に示すように、該便器本体２の前端部両側上面のアームレスト取付け孔１１には、左右別体の樹脂製のスリーブ１８ａ，１８ｂが互いに組み合わせて一体とされた状態で挿着されており、該別体のスリーブ１８ａ，１８ｂの中間部内周には段部１９がそれぞれ形成されており、更に、該段部１９よりも上側内周にはねじ溝２０がそれぞれ形成されている。
該別体のスリーブ１８ａ，１８ｂの下端部外周には係止爪２１がそれぞれ突設されており、該スリーブ１８ａ，１８ｂを便器本体２のアームレスト取付け孔１１に挿着したときに、該係止爪２１が該取付け孔１１内周に設けられた切欠部（図示せず）に係止することによって、該スリーブ１８ａ，１８ｂが便器本体２に係止固定される（図３参照）。
また、一方のスリーブ１８ａの中間部の所定の位置には、上側凸部２２および下側凹部２３が設けられており、他方のスリーブ１８ｂの中間部の対応する位置には、上側凹部（図示せず）および下側凸部（図示せず）が設けられている。したがって、別体のスリーブ１８ａ，１８ｂを互いに組合わせたときに、一方のスリーブ１８ａの上側凸部２２および下側凹部２３と他方のスリーブ１８ｂの上側凹部および下側凸部とがそれぞれ嵌合して、スリーブ１８ａ，１８ｂが一体となった状態で該スリーブ１８ａ，１８ｂが互いに摺動することが防止される（図２および図３参照）。
【００１１】
一方、図２および図３に示すように、該アームレストフレーム８の脚部１０の下端部には、係止ピン２４が出没可能に取り付けられており、該係止ピン２４は屈曲ばね２５によって突出方向に付勢されている。
また、該脚部１０の下部には、外周にねじ部２６を形成した樹脂製のねじ筒２７が嵌着されており、該ねじ筒２７の下部の内周は、下方に向かって径が漸増するテーパー形状にされている。そして、該ねじ筒２７の上部は上方に向かって延出しており、延出したねじ筒２７の内周の上端は、該アームレスト３の脚部１０の外周に密接して該脚部１０を支持している。
【００１２】
更に、該脚部１０の下端部には、該ねじ筒２７のねじ部２６よりも下側において、外周にフランジ部２８を有する外挿管２９が嵌着されている。該外挿管２９には三個の係止孔３０が縦列して設けられており、該三個の係止孔３０のうちの一つを選択して該係止ピン２４を係止させることによって、該脚部１０は長さ調節可能とされている。
また、該外挿管２９の上部の外周は、該ねじ筒２７の内周のテーパー形状に対応して、上方に向かって径が漸減するテーパー形状にされている（図３参照）。
【００１３】
図３に示すように、アームレスト３を便器本体２に取付ける場合には、まず、アームレスト３の脚部１０に予めねじ筒２７を嵌着した後、該脚部１０に外挿管２９を嵌着する。このとき、脚部１０の係止ピン２４を屈曲ばね２５の付勢力に抗して押し込んで、該脚部１０を該外挿管２９に対して上方または下方に摺動させて、該三個の係止孔３０のうちの一つを選択して該係止ピン２４を係止させることによって、該脚部１０の長さを調節する。
次に、該アームレスト３の脚部１０を、予めスリーブ１８ａ，１８ｂを挿着したアームレスト取付け孔１１に挿入して、該ねじ筒２７のねじ部２６を該取付け孔１１内のスリーブ１８ａ，１８ｂのねじ溝２０に螺着することによって、該外挿管２９を該スリーブ１８ａ，１８ｂの段部１９に当接させるとともに、該取付け孔１１内のスリーブ１８ａ，１８ｂの段部１９と該ねじ筒２７下端との間で該外挿管２９を締付けて、該アームレスト３の脚部１０を該便器本体２の取付け孔１１に着脱可能に固定する。
このとき、該アームレストフレーム８後端の背もたれ補助フレーム１６は、図４に示すように、該脚部１０の高さ位置に応じて固定ボルト１７の螺着位置を選択し、取付け高さ位置を調節して背もたれ板１３の背面に取付け固定する。
【００１４】
上記のように、脚部１０の下端部に突出方向に付勢された係止ピン２４が出没可能に設けられているため、従来のように固定ピンの部品管理をする必要がない。
また、該係止ピン２４を屈曲ばね２５の付勢力に抗して押し込んで、該脚部１０を該外挿管２９に対して上方または下方に摺動させ、該複数個の係止孔３０のうちの一つを選択して該係止ピン２４を係止させることによって、使用者の体型に応じてアームレスト３の高さ（脚部１０の長さ）を容易に調節することができるため、アームレスト３の高さ（脚部１０の長さ）を調節する際の操作性や利便性が非常に向上する。
更に、アームレスト３の高さ（脚部１０の長さ）の調節が完了した後、係止ピン２４は便器本体２のアームレスト取付け孔１１の内部に取り付けられたスリーブ１８ａ，１８ｂ内に収納されるため、該係止ピン２４が不意に押し込まれることがなく、不意に該アームレスト３の高さ（脚部１０の長さ）が変わることがない。
【００１５】
また上記のように、該ねじ筒２７のねじ部２６を該スリーブ１８ａ，１８ｂのねじ溝２０に螺着したり、あるいは該ねじ溝２０から取外したりすることによって、便器本体２の上側からアームレスト３の脚部１０を取付けたり取外したりすることが出来、使用者が簡易便器１に腰掛けたままでも該アームレスト３の一方または両方を便器本体２から容易に着脱することが可能となる。
【００１６】
更に、該ねじ筒２７の下部の内周が下方に向かって径が漸増するテーパー形状にされ、該外挿管２９の上部の外周が該ねじ筒２７内周のテーパー形状に対応して上方に向かって径が漸減するテーパー形状にされているので、該ねじ筒２７のねじ部２６を該取付け孔１１内のスリーブ１８ａ，１８ｂのねじ溝２０に螺着したときに、該ねじ筒２７の下部内周のテーパー形状と該外挿管２９の上部外周のテーパー形状とが密着して相互締付けを行なう。
そのため、垂直方向のみならず円周方向にも締付け固定力が働き、脚部１０の固定強度が大幅に向上して、アームレスト３のがたつきを防止することが出来る。
【００１７】
また更に、延出したねじ筒２７の上端の内周が、該脚部１０の外周に密接して該アームレスト３の脚部１０を支持しているので、該脚部１０の歳差運動が阻止されて、脚部１０の固定強度が更に向上し、アームレスト３のぐらつきを防止することが可能となる。
その上、該アームレスト取付け孔１１には樹脂製スリーブ１８ａ，１８ｂが挿着され、また、該アームレスト３の脚部１０に取付けられるねじ筒２７が樹脂製であるので、樹脂の弾性によってテーパー形状による前記円周方向の締付け効果が更に有効に働き、アームレスト３のがたつきを更に有効に防止することが出来る。
【００１８】
以上、本発明の実施の形態を実施例により説明したが、本発明の範囲はこれらに限定されるものではなく、請求項に記載された範囲内において目的に応じて変更・変形することが可能である。
例えば、本実施例以外、アームレストフレーム８は後端部を下方に折曲げて脚部（図示せず）としてもよく、該アームレストフレーム８後端部の脚部を便器本体２の上面後端両側に設けられたアームレスト取付け孔（図示せず）に取り付ける場合に、上記の脚部の取付け構造を適用してもよい。
また、本実施例以外、上記の脚部の取付け構造は、背もたれフレーム１２の脚部１４を便器本体２後端両側に設けられた背もたれ取付け孔１５に着脱可能に取付ける場合に用いてもよい。
【産業上の利用可能性】
【００１９】
本発明は、脚部の長さを調節する際の操作性や利便性が非常に向上し、その上、基体の上側から脚部を取り付けたり取り外したりすることができ、かつ、該脚部の取付け固定強度が非常に高い脚部の取付け構造として、産業上利用することが出来る。
【図面の簡単な説明】
【００２０】
【図１】簡易便器の斜視図である。
【図２】アームレストの脚部の取付け構造を示す分解斜視図である。
【図３】アームレストの脚部の取付け構造を示す説明側断面図である。
【図４】背もたれ補助フレームの取付け構造を示す説明側面図である。
【符号の説明】
【００２１】
１    簡易便器
２    基体（便器本体）
１０    脚部（脚部）
１１    取付け孔（アームレスト取付け孔）
１８ａ  スリーブ
１８ｂ  スリーブ
１９    段部
２０    ねじ溝
２４    係止ピン
２６    ねじ部
２７    ねじ筒
２８    フランジ部
２９    外挿管
３０    係止孔
【図１】
2006006500.tif 000003
【図２】
2006006500.tif 000004
【図３】
2006006500.tif 000005
【図４】
2006006500.tif 000006